(57)【要約】      （修正有）【課題】簡略且つ小型な構成により、ユーザの身体に付着した水滴を確実に除去することが可能なボディドライヤー及び当該ボディドライヤーが設けられた浴室構造を提供する。【解決手段】浴室に設置されて身体に付着した水滴を除去するためのボディドライヤー１０であって、空気Ａが流れる通気路５が内部に形成された部材であって、外部の空気Ａを通気路５へ導入する吸入口６、及び空気Ａを外部へ噴き出す噴射口７が設けられたドライヤー本体１と、ドライヤー本体１の内部に回転可能に支持されたファン２と、ファン２を回転駆動するモータ３と、を備える。【選択図】図２
0003221467.tif 000002
【実用新案登録請求の範囲】
【請求項１】
浴室に設置されて身体に付着した水滴を除去するためのボディドライヤーであって、
空気が流れる通気路が内部に形成された部材であって、外部の空気を前記通気路へ導入する吸入口、及び空気を外部へ噴き出す噴射口が設けられたドライヤー本体と、
前記ドライヤー本体の内部に回転可能に支持されたファンと、
前記ファンを回転駆動するモータと、
を備えることを特徴とするボディドライヤー。
【請求項２】
前記噴射口が、上下方向に所定間隔で複数個設けられ、複数個の前記噴射口は、空気の噴き出し方向に直交する断面がそれぞれ円形に形成されると共に、それぞれの直径が異なることを特徴とする請求項１に記載のボディドライヤー。
【請求項３】
前記噴射口が、所定の開口幅を有して上下方向に延びるスリット形状に形成されたことを特徴とする請求項１に記載のボディドライヤー。
【請求項４】
前記噴射口は、上下方向の位置により開口幅が変化するように形成されていることを特徴とする請求項３に記載のボディドライヤー。
【請求項５】
前記噴射口が、上下方向に所定間隔で複数個設けられたことを特徴とする請求項３又は４に記載のボディドライヤー。
【請求項６】
前記通気路を流れる空気を加熱するヒータを更に備えることを特徴とする請求項１から５の何れか一項に記載にボディドライヤー。
【請求項７】
浴室の壁面に近接した位置に、床面から上方へ延びて天井面に達するようにして、請求項１から６の何れか一項に記載のボディドライヤーが設けられたことを特徴とする浴室構造。
【請求項８】
前記壁面に近接した位置が、隣接する壁面同士が交差するコーナー部であることを特徴とする請求項７に記載の浴室構造。
【請求項９】
前記浴室の内部または外部の空気を加熱して前記浴室の内部へ供給する加熱装置を更に備えることを特徴とする請求項７又は８に記載の浴室構造。
【考案の詳細な説明】
【技術分野】
【０００１】
本考案は、浴室に設置されて身体に付着した水滴を除去するボディドライヤー及び浴室構造に関する。
【背景技術】
【０００２】
入浴により身体に付着した水滴を除去する手段として、浴室の壁面等に設置されるボディドライヤーが従来知られている（例えば、特許文献１を参照）。このボディドライヤーは、特許文献１の図５に示されるように、送風機モータ１によって駆動される送風機２と、先端に吐出口６が設けられて一定の角度範囲内で回動するエアガイド７と、吐出口６の近傍に設置された発熱体１４と、を備えている。このように構成されるボディドライヤーによれば、送風機２から送出される空気が発熱体１４に加熱されて温風となり、この温風がエアガイド７によってユーザの方向へ案内される。このように、ボディドライヤーは、温風を吹き付けて蒸発させることにより、ユーザの身体に付着した水滴を除去する。
【先行技術文献】
【特許文献】
【０００３】
【特許文献１】特表２０１０−５２６５７９号公報
【考案の概要】
【考案が解決しようとする課題】
【０００４】
しかし、従来のボディドライヤーによれば、ユーザの身体に温風を吹き付けるための構成として、回動するエアガイド７や発熱体１４を設ける必要があるため、構成が複雑化すると共に装置全体が大型化するという問題があった。
【０００５】
そこで本考案は、かかる事情を考慮してなされたものであり、その目的は、簡略且つ小型な構成により、ユーザの身体に付着した水滴を確実に除去することが可能なボディドライヤー及び当該ボディドライヤーが設けられた浴室構造を提供することにある。
【課題を解決するための手段】
【０００６】
本考案の一の態様によれば、浴室に設置されて身体に付着した水滴を除去するためのボディドライヤーであって、空気が流れる通気路が内部に形成された部材であって、外部の空気を前記通気路へ導入する吸入口、及び空気を外部へ噴き出す噴射口が設けられたドライヤー本体と、前記ドライヤー本体の内部に回転可能に支持されたファンと、前記ファンを回転駆動するモータと、を備えることを特徴とするボディドライヤーが提供される。
【０００７】
なお、本考案の一の態様に係るボディドライヤーにおいては、前記噴射口が、上下方向に所定間隔で複数個設けられ、複数個の前記噴射口は、空気の噴き出し方向に直交する断面がそれぞれ円形に形成されると共に、それぞれの直径が異なっていてもよい。
【０００８】
また、本考案の一の態様に係るボディドライヤーにおいては、前記噴射口が、所定の開口幅を有して上下方向に延びるスリット形状に形成されてもよい。
【０００９】
また、本考案の一の態様に係るボディドライヤーにおいては、前記噴射口は、上下方向の位置により開口幅が変化するように形成されてもよい。
【００１０】
また、本考案の一の態様に係るボディドライヤーにおいては、前記噴射口が、上下方向に所定間隔で複数個設けられてもよい。
【００１１】
また、本考案の一の態様に係るボディドライヤーは、前記通気路を流れる空気を加熱するヒータを更に備えてもよい。
【００１２】
また、本考案の他の態様によれば、浴室の壁面に近接した位置に、床面から上方へ延びて天井面に達するようにして、上記何れかに記載のボディドライヤーが設けられたことを特徴とする浴室構造が提供される。
【００１３】
また、本考案の他の態様に係る浴室構造においては、前記壁面に近接した位置が、隣接する壁面同士が交差するコーナー部であってもよい。
【００１４】
また、本考案の他の態様に係る浴室構造は、前記浴室の内部または外部の空気を加熱して前記浴室の内部へ供給する加熱装置を更に備えてもよい。
【考案の効果】
【００１５】
本考案の一の態様に係るボディドライヤー及び当該ボディドライヤーが設けられた浴室構造によれば、簡略且つ小型な構成により、ユーザの身体に付着した水滴を確実に除去することができる。
【図面の簡単な説明】
【００１６】
【図１】本考案の第一実施形態に係るボディドライヤー１０の構成を示す概略斜視図である。
【図２】図１におけるＡ−Ａ線断面を示す概略断面図である。
【図３】本考案の第二実施形態に係るボディドライヤー２０の構成を示す概略斜視図である。
【図４】本考案の第三実施形態に係るボディドライヤー３０の構成を示す概略斜視図である。
【図５】本考案の第一実施形態に係るボディドライヤー１０が設けられた浴室構造４０を示す概略斜視図である。
【考案を実施するための形態】
【００１７】
以下、本考案の実施の形態に係るボディドライヤー及び浴室構造について、図面を参照しつつ説明する。
【００１８】
（第一実施形態に係るボディドライヤーの構成）
図１及び図２は、本考案の第一実施形態に係るボディドライヤー１０の構成を示す図であり、図１は概略斜視図、図２は図１におけるＡ−Ａ線断面を示す概略断面図である。ボディドライヤー１０は、ドライヤー本体１と、ファン２と、モータ３と、ヒータ４と、を備えている。
【００１９】
ドライヤー本体１は、ボディドライヤー１０の外形を成し、内部に各種部材を収容する。このドライヤー本体１は、樹脂等からなる筒状の部材であり、図１に示すように、平面視で中心角が略９０°である扇形の外形を有している。また、ドライヤー本体１の高さ方向の寸法は、一般的な浴室の天井高さに合わせて、２００ｃｍ程度に設定されている。このドライヤー本体１は、図１及び図２に示すように、内部に設けられた通気路５と、頂部に設けられた吸入口６と、正面に設けられた複数の噴射口７と、を有している。なお、ドライヤー本体１の材質、断面形状、及び長さ寸法等は、本実施形態に限定されず適宜設計変更が可能である。
【００２０】
通気路５は、その内部を空気Ａが流れる通路として機能する。この通気路５は、図２に示すように、ドライヤー本体１の高さ方向の略全長に亘って延びるように形成されている。また、吸入口６は、外部の空気Ａを通気路５へ導入するための通路として機能する。この吸入口６は、図１及び図２に示すように、ドライヤー本体１の上面を貫通して形成され、空気Ａの流入方向に直交する断面形状が、ドライヤー本体１の外形より若干小さい扇形に形成されている。なお、吸入口６の形成位置、個数、大きさ、及び断面形状等は、本実施形態に限定されず適宜設計変更が可能である。
【００２１】
複数の噴射口７は、通気路５を流れる空気Ａを外部へ噴き出すための通路としてそれぞれ機能する。各噴射口７は、図１及び図２に示すように、ドライヤー本体１の正面を貫通してそれぞれ形成され、空気Ａの噴き出し方向に直交する断面形状がそれぞれ円形に形成されている。そして、この噴射口７は、ドライヤー本体１の高さ方向に沿って一定間隔で設けられ、本実施形態では１５個の噴射口７が設けられている。そして、各噴射口７の直径Ｄは、それぞれ異なる大きさに設定されている。本実施形態では、最も上方に位置する噴射口７の直径Ｄが最大に設定され、そこから下方に向かって噴射口７の直径Ｄが徐々に小さくなるように設定されている。なお、ドライヤー本体１の最も高い位置に設けられた噴射口７は、背の高い成人男性の身長に合わせて、ドライヤー本体１の下端から１８０ｃｍ程度の高さ位置に設けられている。
【００２２】
ファン２は、ドライヤー本体１の外部から吸入した空気Ａを通気路５へ送り出す役割を果たす。このファン２は、羽根車の回転運動によって空気Ａに圧力を与えて送り出す、いわゆる送風機である。このファン２は、図２に示すように、通気路５における吸入口６の直下の位置に、回転可能に支持されている。また、モータ３は、ファン２を回転駆動する役割を果たす。このモータ３は、ファン２と同様に、通気路５における吸入口６の直下の位置に配置されている。そして、ユーザは、ドライヤー本体１の正面に設けられた通常モードスイッチ８（図１を参照）を操作してＯＮ状態またはＯＦＦ状態を切り替えることにより、モータ３を駆動または停止させることができる。本実施形態では、ファン２とモータ３とが一体化された、いわゆるファンモータを使用している。なお、ファン２やモータ３の設置位置や個数等は、本実施形態に限定されず適宜設計変更が可能である。
【００２３】
ヒータ４は、通気路５を流れる空気Ａを加熱する役割を果たす。このヒータ４は、図に詳細は示さないが、金属製のパイプの内部にコイル状の発熱線が収容されたものである。このヒータ４は、図２に示すように、噴射口７が設けられた範囲に亘って通気路５の内部に延びるように設けられている。そして、ユーザは、ドライヤー本体１の正面に設けられた温風モードスイッチ９（図１を参照）を操作してＯＮ状態にすることにより、モータ３及びヒータ４の両方を駆動させることができる。一方、ユーザは、温風モードスイッチ９を操作してＯＦＦ状態にすることにより、モータ３及びヒータ４の両方を停止させることができる。なお、ヒータ４の構成、設置位置、及び個数等は本実施形態に限定されず、例えば複数のヒータ４を各噴射口７に近接した位置にそれぞれ設置してもよい。
【００２４】
（第一実施形態に係るボディドライヤーの作用効果）
上述のように構成されるボディドライヤー１０によれば、ユーザが入浴後にドライヤー本体１の正面側に立ち、通常モードスイッチ８を操作してＯＮ状態にすると、モータ３が駆動し、それに伴ってファン２が回転を開始する。これにより、図２に示すように、ドライヤー本体１の外部の空気Ａが吸入口６を通って通気路５へ吸入され、この空気Ａは、ファン２により通気路５の下流側へすなわち下方へ向かって送り出される。そして、この空気Ａは、通気路５を下方へ向かって流れ、噴射口７それぞれを通ってドライヤー本体１の外部へ噴き出す。そして、この外部へ噴き出した空気Ａにより、ユーザの身体に付着した水滴が吹き落とされることにより除去される。
【００２５】
ここで、噴射口７の直径Ｄは、上述の通り最も上方に位置する噴射口７で最大に設定され、そこから下方に向かって徐々に小さくなるように設定されている。従って、流量が少なくなる通気路５の下流側すなわち下方側の噴射口７においても、上流側すなわち上方側の噴射口７と同程度の流速で空気Ａが噴き出す。これにより、ユーザのつま先から頭部までの全域に亘って、身体に付着した水滴が均一に除去される。
【００２６】
また、例えば冬季で気温が低い等の事情がある場合、ユーザは通常モードスイッチ８に代えて温風モードスイッチ９をＯＮ状態にすればよい。この場合、モータ３及びヒータ４の両方が駆動され、通気路５を流れる空気Ａがヒータ４によって加熱されるので、各噴射口７を通ってドライヤー本体１の外部へ温風が噴き出す。従って、ユーザの身体に付着した水滴は、温風によって吹き落とされることにより除去されると共に、温風によって加熱されて蒸発することにより除去される。なお、本発明においてヒータ４は任意の構成であって、ヒータ４を設けずに、ユーザの身体に付着した水滴を吹き落とすことのみにより除去してもよい。
【００２７】
また、噴射口７は、上述の通りドライヤー本体１の下端から１８０ｃｍ程度の高さ位置に亘って所定間隔で設けられている。従って、身長が比較的高いユーザであっても、噴射口７から噴き出す空気Ａや温風により、身体に付着した水滴を全身に亘って確実に除去することができる。
【００２８】
その後、ユーザは、ボディドライヤー１０を通常モードで使用中であれば通常モードスイッチ８を操作してＯＦＦ状態にする。そうすると、モータ３が停止することにより、噴射口７からの空気Ａの噴き出しが停止する。一方、ユーザは、ボディドライヤー１０を温風モードで使用中であれば温風モードスイッチ９を操作してＯＦＦ状態にする。そうすると、モータ３及びヒータ４の両方が停止することにより、噴射口７からの温風の噴き出しが停止する。
【００２９】
（変形例）
なお、第一実施形態では、噴射口７の直径Ｄを、最も上方に位置する噴射口７で最大に設定し、そこから下方に向かって徐々に小さくなるように設定した。しかし、図に詳細は示さないが、本実施形態とは逆に、最も上方に位置する噴射口７で直径Ｄを最小に設定し、そこから下方に向かって直径Ｄが徐々に大きくなるように設定してもよい。また、上下方向の位置によらず、各噴射口７の直径Ｄをランダムな大きさにそれぞれ設定してもよい。また、各噴射口７の直径Ｄを全て等しい大きさに設定してもよい。
【００３０】
（第二実施形態に係るボディドライヤーの構成）
図３は、本考案の第二実施形態に係るボディドライヤー２０の構成を示す概略斜視図である。ボディドライヤー２０は、第一実施形態に係るボディドライヤー１０と比較すると、ドライヤー本体２１の構成だけが異なっている。ボディドライヤー２０のそれ以外の構成は、第一実施形態と同じであるためここでは説明を省略し、第一実施形態と同じ符号を用いる。
【００３１】
ドライヤー本体２１は、その材質や外形等は第一実施形態のドライヤー本体１と同じであるが、その正面に設けられた噴射口２２の形状が第一実施形態の噴射口７とは異なっている。噴射口２２は、所定の開口幅Ｗａを有して上下方向に延びるスリット形状に形成されている。そして、この噴射口２２の上端部は、ドライヤー本体２１の下端から１８０ｃｍ程度の高さ位置に達している。
【００３２】
（第二実施形態に係るボディドライヤーの作用効果）
上述のように構成されるボディドライヤー２０によれば、第一実施形態に係るボディドライヤー１０と同様の作用効果が奏される。更に、本実施形態の噴射口２２は、第一実施形態の噴射口７と比較して、空気Ａの噴き出し方向に直交する方向の断面積が広いため、ユーザの身体のより広い領域に対して空気Ａが吹き付けられる。従って、本実施形態に係るボディドライヤー２０によれば、第一実施形態と比較して、ユーザの身体に付着した水滴を漏れなく確実に除去することができる。
【００３３】
（変形例）
なお、第二実施形態では、上下方向に延びる一本の長尺なスリットとして噴射口２２を構成した。しかし、これに代えて、図に詳細は示さないが、短尺な複数本のスリットを上下方向に所定間隔で配置することにより、噴射口２２を構成してもよい。
【００３４】
（第三実施形態に係るボディドライヤーの構成）
図４は、本考案の第三実施形態に係るボディドライヤー３０の構成を示す概略斜視図である。ボディドライヤー３０は、第一実施形態に係るボディドライヤー１０と比較すると、ドライヤー本体３１の構成だけが異なっている。ボディドライヤー３０のそれ以外の構成は、第一実施形態と同じであるため、ここでは説明を省略し、第一実施形態と同じ符号を用いる。
【００３５】
ドライヤー本体３１は、その材質や外形等は第一実施形態のドライヤー本体１と同じであるが、その正面に設けられた噴射口３２の形状が第一実施形態とは異なっている。噴射口３２は、上下方向に延びるスリット形状に形成されると共に、上下方向の位置により開口幅Ｗｂが変化するように形成されている。本実施形態では、図４に示すように、開口幅Ｗｂの狭い領域と開口幅Ｗｂの広い領域とが上下方向に交互に繰り返すようにして、噴射口３２が形成されている。また、この噴射口３２の上端部は、ドライヤー本体３１の下端から１８０ｃｍ程度の高さ位置に達している。
【００３６】
（第三実施形態に係るボディドライヤーの作用効果）
上述のように構成されるボディドライヤー３０によれば、第一実施形態に係るボディドライヤー１０及び第二実施形態に係るボディドライヤー２０と同様の作用効果が奏される。更に、本実施形態の噴射口３２は、第二実施形態の噴射口２２と比較して、特定箇所の開口幅Ｗｂが広く形成されている。従って、ユーザの身体において水滴が付着しやすい特定領域に対して、噴射口３２の開口幅Ｗｂが広い領域からより多くの空気Ａが吹き付けられる。従って、本実施形態に係るボディドライヤー３０によれば、第一実施形態及び第二実施形態と比較して、ユーザの身体に付着した水滴を一層漏れなく確実に除去することができる。
【００３７】
（変形例）
なお、第三実施形態では、開口幅Ｗｂの狭い領域と開口幅Ｗｂの広い領域とが上下方向に交互に繰り返すようにして噴射口３２を形成した。しかし、上下方向の位置により開口幅Ｗｂが変化する態様としては、本実施形態の形状に代えて、種々の形状に噴射口３２を形成することができる。例えば、図に詳細は示さないが、下方向に向かって開口幅Ｗｂが徐々に広がるまたは徐々に狭まる形状や、階段状に開口幅Ｗｂが変化する形状や、ランダムな箇所だけ開口幅Ｗｂが広い形状を採用することも可能である。
【００３８】
（浴室構造について）
次に、本考案の実施形態に係る浴室構造について説明する。図５は、本考案の第一実施形態に係るボディドライヤー１０が設けられた浴室構造４０を示す概略斜視図である。浴室構造４０は、浴室内装４１と、ボディドライヤー３０と、加熱装置４２と、を備えている。なお、第一実施形態に係るボディドライヤー１０に代えて、第二実施形態に係るボディドライヤー２０、または第三実施形態に係るボディドライヤー３０を浴室構造４０に適用することも可能である。
【００３９】
浴室内装４１は、床面４３と、天井面４４（図に二点鎖線で記載）と、壁面４５と、を有している。天井面４４は、床面４３から２００ｃｍ程度の高さ位置に、床面４３と略平行して延びるように設けられている。また、壁面４５は、互いに隣接する壁面４５同士が略直交して交差するように設けられている。
【００４０】
ボディドライヤー１０の構成は上述した通りであるため、ここでは説明を省略し、図１及び図２と同じ符号を用いる。このボディドライヤー１０は、壁面４５に近接した位置に、より詳細には隣接する壁面４５同士が交差するコーナー部４６に配置されている。そして、ボディドライヤー１０は、上述のように高さ寸法が２００ｃｍ程度に設定されているため、床面４３から上方へ延びてその頂部は天井面４４の付近に達している。
【００４１】
加熱装置４２は、浴室の内部または外部の空気Ａを加熱して浴室の内部へ温風を供給する役割を果たす。この加熱装置４２は、図５に示すように、その前面に温風を吹き出すための吹き出し口４７が設けられている。本実施形態では、加熱装置４２として、電気やガスを駆動源とする従来公知の浴室暖房装置を用いている。このように構成される加熱装置４２は、壁面４５における天井面４４に近い位置に設置されている。
【００４２】
（浴室構造の作用効果）
上述のように構成される浴室構造４０によれば、ボディドライヤー１０はその頂部が天井面４４の付近に達するように設けられているため、ドライヤー本体１の内部に収容されるモータ３及びファン２が、天井面４４に近い位置に配置される。従って、図に詳細は示さないが、モータ３に電源を供給するための電気ケーブルを天井裏に這わせることができるので、配線工事を行いやすいという利点がある。また、モータ３やファン２等の電気部品が床面４３から高い位置に配置されるので、シャワーＳや浴槽Ｂの側から飛び散った水を電気部品が被りにくいという利点もある。
【００４３】
また、浴室構造４０によれば、加熱装置４２の使用中には加熱装置４２から温風が供給されることによって浴室内部の空気Ａは暖められた状態になる。従って、この時にボディドライヤー１０を使用すれば、吸入口６を通って暖かい空気Ａが通気路５へ吸入されるため、噴射口７を通って外部へ噴き出す空気Ａも比較的温度が高い状態である。従って、通常モードでボディドライヤー１０を使用することにより、温風モードでボディドライヤー１０を使用する場合と同等の効果が得られるので、電気代の節減につながるという利点がある。
【００４４】
なお、本考案の技術的範囲は上記の実施形態に限定されるものではなく、実用新案登録請求の範囲によって規定される本考案の趣旨を逸脱しない範囲内において、種々の変更を加えることが可能である。
【産業上の利用可能性】
【００４５】
本考案に係るボディドライヤーは、浴室の壁面だけでなく天井面に設置することも可能である。また、浴室だけでなく洗面所等に本考案に係るボディドライヤーを設置することも可能である。
【符号の説明】
【００４６】
１  ドライヤー本体
２  ファン
３  モータ
４  ヒータ
５  通気路
６  吸入口
７  噴射口
８  通常モードスイッチ
９  温風モードスイッチ
１０  ボディドライヤー
２０  ボディドライヤー
２１  ドライヤー本体
２２  噴射口
３０  ボディドライヤー
３１  ドライヤー本体
３２  噴射口
４０  浴室構造
４１  浴室内装
４２  加熱装置
４３  床面
４４  天井面
４５  壁面
４６  コーナー部
４７  吹き出し口
Ａ  空気
Ｂ  浴槽
Ｄ  直径
Ｓ  シャワー
Ｗａ  開口幅
Ｗｂ  開口幅
【図１】
0003221467.tif 000003
【図２】
0003221467.tif 000004
【図３】
0003221467.tif 000005
【図４】
0003221467.tif 000006
【図５】
0003221467.tif 000007